(57)【特許請求の範囲】
【請求項１】
操作入力部からの指示に基づき、音声番号に対応する音声メッセージの音量を調節する操作制御手段を有するリモートコントローラであって、
前記音声メッセージの番号を示す音声番号や音量を表示する表示部を有し、
前記操作制御手段は、前記操作入力部の音声スイッチにより音量調節モードが設定されたと判定したときは、前記操作入力部の音声番号スイッチから指示された音声番号と前記音声番号に対応する音声メッセージの音量を前記表示部に表示し、前記表示部に表示された音声番号に対応する音声メッセージの音量が音量調節スイッチで調節され、設定された音量が前記表示部に表示されることを特徴とするリモートコントローラ。
【請求項２】
前記操作制御手段は、前記音声番号スイッチが一括調節を指示しているときは既に個別調節された音声番号を除いた全ての音声番号に対応する音声メッセージの音量を一括調節し、前記音声番号スイッチが個別調節を指示しているときは前記音声番号スイッチが指示した音声番号に対応する音声メッセージの音量を調節することを特徴とする請求項１に記載のリモートコントローラ。
【請求項３】
前記操作制御手段は、音量調節モードが設定された後に前記音声番号スイッチが所定回だけオンされた場合には、音量調節モードが設定される直前に発音された音声メッセージの音声番号を前記表示部に表示し、前記表示部に表示された音声番号に対応する音声メッセージの音量が音量調節スイッチで調節され、設定された音量が前記表示部に表示されることを特徴とする請求項１に記載のリモートコントローラ。
【請求項４】
前記操作制御手段は、前記音声番号スイッチが指示した音声番号と前記指示した音声番号に対応する音声メッセージの音量とを対にして音量データ記憶部に記憶させることを特徴とする請求項１乃至３のいずれか１に記載のリモートコントローラ。
【請求項５】
前記音量データ記憶部は不揮発性メモリであることを特徴とする請求項４に記載のリモートコントローラ。
【発明の詳細な説明】
【０００１】
【発明の属する技術分野】
本発明は、給湯器を制御するメインリモコンや風呂リモコンなどのリモートコントローラに関するものである。
【０００２】
【従来の技術】
給湯器を制御するメインリモコンや風呂リモコンなどのリモートコントローラは音声により状況を報知する機能を有するのが一般である。近年、このようなリモートコントローラにおいては、上記報知するための音声の音量を調節する機能が重要になりつつある。例えば、重要なメッセージを報知する場合には音量を大きく調節しておくような機能である。
上述したような音量調節機能を有するリモートコントローラとしては、例えば特開平１１−５５７６６号公報に記載されたものがある。この公報においては、音量が変更調節された場合に、その変更された音量で報知を行うことにより音量を確認できることが記載され、また、報知性の度合いに応じて複数のグループに区分し、そのグループ毎に音量を調節することが記載されている。
【０００３】
【発明が解決しようとする課題】
しかしながら、上記従来のリモートコントローラでは、以下のような課題を有していた。
（１）グループ毎の音量調節が可能であるが、個別の調節が不可能で、ユーザへの対応が不十分であるという問題点を有していた。
（２）最も直近に発音された音声メッセージの音量を調節することができず、ユーザが最も正確に記憶している音量の有効活用を図ることができないという問題点を有していた。
【０００４】
本発明は、上記従来の課題を解決するもので、個別の調節を可能にして利便性等のユーザマインドの向上を図ることができ、また、最も直近に発音された音声メッセージの音量を調節することができるリモートコントローラを提供することを目的とする。
【０００５】
【課題を解決するための手段】
この目的を達成するために本発明に記載のリモートコントローラは、操作入力部からの指示に基づき、音声番号に対応する音声メッセージの音量を調節する操作制御手段を有するリモートコントローラであって、音声メッセージの番号を示す音声番号や音量を表示する表示部を有し、操作制御手段は、操作入力部の音声スイッチにより音量調節モードが設定されたと判定したときは、操作入力部の音声番号スイッチから指示された音声番号と音声番号に対応する音声メッセージの音量を表示部に表示し、表示部に表示された音声番号に対応する音声メッセージの音量が音量調節スイッチで調節され、設定された音量が表示部に表示される構成を備えている。
これにより、個別の調節を可能にしてユーザマインドの向上を図ることができるリモートコントローラが得られる。
【０００６】
【発明の実施の形態】
本発明の請求項１に記載のリモートコントローラは、操作入力部からの指示に基づき、音声番号に対応する音声メッセージの音量を調節する操作制御手段を有するリモートコントローラであって、音声メッセージの番号を示す音声番号や音量を表示する表示部を有し、操作制御手段は、操作入力部の音声スイッチにより音量調節モードが設定されたと判定したときは、操作入力部の音声番号スイッチから指示された音声番号と音声番号に対応する音声メッセージの音量を表示部に表示し、表示部に表示された音声番号に対応する音声メッセージの音量が音量調節スイッチで調節され、設定された音量が表示部に表示されることとしたものである。
この構成により、指示された音声番号に対応する音声メッセージの音量が調節され、個別の調節を可能にしてユーザマインドの向上が図られるという作用を有する。
ここで、音量調節モードは、音量調節の動作が行われなくなった後に所定時間経過したときに解消され通常のモードに復帰することが好ましく、また所定時間は５秒程度が好ましい。
【０００７】
請求項２に記載のリモートコントローラは、請求項１に記載のリモートコントローラにおいて、操作制御手段は、音声番号スイッチが一括調節を指示しているときは既に個別調節された音声番号を除いた全ての音声番号に対応する音声メッセージの音量を一括調節し、音声番号スイッチが個別調節を指示しているときは音声番号スイッチが指示した音声番号に対応する音声メッセージの音量を調節することとしたものである。
この構成により、状況に応じて一括調節または個別調節が行われ、利便性が増すという作用を有する。
【０００８】
請求項３に記載のリモートコントローラは、請求項１に記載のリモートコントローラにおいて、操作制御手段は、音量調節モードが設定された後に音声番号スイッチが所定回だけオンされた場合には、音量調節モードが設定される直前に発音された音声メッセージの音声番号を表示部に表示し、表示部に表示された音声番号に対応する音声メッセージの音量が音量調節スイッチで調節され、設定された音量が前記表示部に表示されることとしたものである。
この構成により、音量調節モードが設定される直前に発音された音声メッセージ、つまり最も直近に発音された音声メッセージの音量が調節可能になり、ユーザが最も正確に記憶している音量の有効活用を図り得るという作用を有する。
【０００９】
請求項４に記載のリモートコントローラは、請求項１に記載のリモートコントローラにおいて、操作制御手段は、音声番号スイッチが指示した音声番号と指示した音声番号に対応する音声メッセージの音量とを対にして音量データ記憶部に記憶させることとしたものである。
この構成により、所定の音声番号に対応する音声メッセージが所定の音量で正確に再生されるという作用を有する。
【００１０】
請求項５に記載のリモートコントローラは、請求項４に記載のリモートコントローラにおいて、音量データ記憶部は不揮発性メモリであることとしたものである。
この構成により、所定の音声番号とこの所定の音声番号に対応する音声メッセージの音量とが消滅することなく確実に記憶されるという作用を有する。
【００１１】
以下、本発明の実施の形態について、図１〜図４を用いて説明する。
（実施の形態）
図１は本発明の実施の形態１によるリモートコントローラを示すブロック図である。
図１において、１は全体を制御する制御部、２は各指示を入力するための操作入力部、３は湯温を表示すると共に音声メッセージの番号を示す音声番号や音量を表示するランプ、ＬＥＤ等から成る表示部、４はアンプ、スピーカなどの音声出力部、５は外部と通信を行うための伝送部、６は各種データを記憶する記憶部である。
また、１１は操作入力に基づいて表示を制御する表示制御手段、１２は操作入力に基づいて処理動作を制御する操作制御手段、１３は音声データの中のどのセンテンス（メッセージ）を発音させるかを制御する音声制御手段、１４はその他の制御を行うその他の制御手段、１５は外部との通信を制御する伝送制御手段、２１は音声調節モードの設定や音量調節を行うための音声スイッチ、２２は音声番号を増加させるための音声番号スイッチとしての音声番号プラススイッチ、２３は音声番号を減少させるための音声番号スイッチとしての音声番号マイナススイッチ、３１は給湯温度や音量調節モードにおける音声番号を表示する第１の表示部、３２は風呂の追い焚き温度や音量調節モードにおける音量を表示する第２の表示部、６１は操作状態を記憶する操作データ記憶部、６２は発音する音声データをセンテンス（メッセージ）毎に記憶する音声データ記憶部、６３は調節された音量のデータをセンテンス（メッセージ）毎に記憶する音量データ記憶部である。
なお、音量データ記憶部６３の初期値は出荷時までに調整される。したがって、音量データ記憶部６３としては不揮発性メモリが使用される。また、図１において、各手段１１〜１５は、操作データ記憶部６１に記憶されたプログラムを実行することにより実現される機能実現手段であり、手段１１〜１５以外の各部はハードウェアである。
【００１２】
図２（ａ）は、図１のリモートコントローラとしてのメインリモコン（台所近傍に設置されるリモートコントローラ）を示すパネルの正面図であり、図２（ｂ）は操作部蓋を開いた状態を示すパネルの要部正面図であり、図３（ａ）は図１のリモートコントローラとしての風呂リモコン（浴室内に設置されるリモートコントローラ）を示すパネルの正面図であり、図３（ｂ）は図１のリモートコントローラとしての風呂リモコンの操作部蓋を開いた状態を示すパネルの要部正面図である。
図２、図３において、音声出力部４、音声スイッチ２１、音声番号プラススイッチ２２、音声番号マイナススイッチ２３、第１の表示部３１、第２の表示部３２は図１と同様のものなので、同一符号を付し、説明は省略する。７は運転の入り、切りを制御する運転スイッチ、８は開閉可能な操作部蓋である。
【００１３】
以上のように構成されたリモートコントローラについて、その動作を図４を用いて説明する。
図４は図１〜図３のリモートコントローラの動作を示すフローチャートである。
まず、操作制御手段１２は音声スイッチ２１がオンとされたか否かを判定する（Ｓ１）。オンとされたと判定したときは表示制御手段１１にその旨を通知し、通知を受けた表示制御手段１１は、第１の表示部３１に“ＡＬ”を表示し、第２の表示部３２に音量を表示する（音量の個別調節がまだ行われていない音声の音量を表示する）（Ｓ２）。なお、ステップＳ１におけるオン判定によりリモートコントローラは音量調節モードに設定される。また、第１の表示部３１はステップＳ２では“ＡＬ”を表示するが、その他の条件下においては、条件に応じて、“ＡＬ”や“００”〜“９９”を表示する。
【００１４】
次に、操作制御手段１２は、音声番号プラススイッチ２２、音声番号マイナススイッチ２３のいずれかがオンとされたか否かを判定し（Ｓ３）、いずれかがオンとされたと判定したときはステップＳ４へ、いずれもオンとされなかったと判定したときはステップＳ６へ移行する。音声番号スイッチ２２、２３のいずれかがオンとされたと判定したときは次に操作制御手段１２は、音声番号スイッチ２２、２３のオンはいずれかの所定回目のオンか否かを判定する（Ｓ４）。
【００１５】
ステップＳ４で音声番号スイッチ２２、２３のオンはいずれかの所定回目のオンであると判定したときは、操作制御手段１２はその旨を音声制御手段１３に通知し、通知を受けた音声制御手段１３は最も直近に発音された音声メッセージの音声番号を表示制御手段１１に通知し、表示制御手段１１はその音声番号を第１の表示部３１に表示する（Ｓ５）。ステップＳ４で音声番号スイッチ２２、２３のオンはいずれかの所定回目のオンでないと判定したときは、操作制御手段１２はそのオン回数に応じて音声番号を増加または減少し、この変更した音声番号を第１の表示部３１に表示する（Ｓ１０）。この場合、音声番号プラススイッチ２２をオンとする度に“１”ずつ増加し、音声番号マイナススイッチ２３をオンとする度に“１”ずつ減少する。ステップＳ１０で音声番号は何を基準に増加、減少するかと言うと、個別調節の場合は必ずステップＳ４を通り、１回目は必ず直近に発生された音声の音声番号が表示されるので、これが基準となる。
【００１６】
次に、操作制御手段１２は、音声スイッチ２１がオンか否かを判定する（Ｓ６）。このステップＳ６では、音声スイッチ２１は音量調節スイッチとして機能する。すなわち、音声スイッチ２１は第１の表示部３１に表示されている音声番号に対応する音声メッセージの音量を制御するスイッチとして機能し、音声スイッチ２１をオンとする毎に、音量大（３）→音量中（２）→音量小（１）→無音（０）→音量大（３）というように設定され、第２の表示部３２に表示される。次に、表示制御手段１１は、第１の表示部３１の表示が“ＡＬ”か否かを判定し（Ｓ７）、その判定結果を音声制御手段１３へ通知する。音声制御手段１３は、ステップＳ７で表示制御手段１１が“ＡＬ”と判定したときは、すでに個別調節されて個別調節フラグがセットされている音声番号以外のすべての音声番号の音声メッセージの音量をステップＳ６における音声スイッチ２１のオン回数に応じて一括調節する（Ｓ８）。音声制御手段１３は、ステップＳ７で表示制御手段１１が“ＡＬ”でないと判定したときは、第１の表示部３１に表示されている音声番号に対応する音声メッセージの音量のみをステップＳ６における音声スイッチ２１のオン回数に応じて調節し、その音声番号に対して個別調節フラグをセットする（Ｓ１１）。
【００１７】
次に、操作制御手段１２は、上記音量調節動作を行わなくなってから所定時間経過したか否かを判定し、所定時間以内であればステップＳ３へ戻って再び音量調節動作を行い、所定時間を経過していれば音量調節モードを終了し、通常のモードへ復帰する（Ｓ９）。
【００１８】
なお、本実施の形態では、ステップＳ１に示すように音声スイッチ２１をオンとすることで音量調節モードに設定されるとしたが、本発明はこれに限らず、複数のスイッチを同時にオンとすることで音量調節モードに設定するようにしても良い。また、上記所定時間は５秒程度が好ましい。また、ステップＳ４で音声番号スイッチ２２、２３のオンはいずれかの１回目のオンであると判定したときは、操作制御手段１２はその旨を音声制御手段１３に通知し、通知を受けた音声制御手段１３は最も直近に発音された音声メッセージの音声番号を表示制御手段１１に通知し、表示制御手段１１はその音声番号を第１の表示部３１に表示する（Ｓ５）としたが、本発明はこれに限らず、音声番号スイッチ２２、２３のオンはいずれかの所定回数だけのオンでもよい。この所定回数としては、１回乃至２回の出来るだけ少ない回数の方が操作性の点からよい。
【００１９】
以上のように本実施の形態によれば、操作制御手段１２は、操作入力部２の音声スイッチ２１により音量調節モードが設定されたと判定したときは、操作入力部２の音声番号スイッチ２２、２３から指示された音声番号に対応する音声メッセージの音量を調節するようにしたことにより、指示された音声番号に対応する音声メッセージの音量のみを調節することができるので、個別の調節を可能にしてユーザマインドの向上を図ることができる。
また、操作制御手段１２は、音声番号スイッチ２２、２３が一括調節を指示しているときは既に個別調節された音声番号を除いた全ての音声番号に対応する音声メッセージの音量を一括調節し、音声番号スイッチ２２、２３が個別調節を指示しているときは音声番号スイッチ２２、２３が指示した音声番号に対応する音声メッセージの音量を調節するようにしたことにより、状況に応じて一括調節または個別調節を行うことができるので、利便性を増すことができる。
操作制御手段１２は、音量調節モードが設定された後に音声番号スイッチ２２、２３が１回だけオンされた場合には、音量調節モードが設定される直前に発音された音声メッセージの音量を調節するようにしたことにより、音量調節モードが設定される直前に発音された音声メッセージ、つまり最も直近に発音された音声メッセージの音量を調節することができるので、ユーザが最も正確に記憶している音量の有効活用を図ることができる。
また、操作制御手段１２は、音声番号スイッチ２２、２３が指示した音声番号と指示した音声番号に対応する音声メッセージの音量とを対にして音量データ記憶部６３に記憶させるようにしたことにより、所定の音声番号に対応する音声メッセージを所定の音量で正確に再生することができる。
さらに、音量データ記憶部６３を不揮発性メモリとしたことにより、所定の音声番号とこの所定の音声番号に対応する音声メッセージの音量とを消滅させることなく確実に記憶することができる。
【００２０】
【発明の効果】
以上説明したように本発明の請求項１に記載のリモートコントローラによれば、操作入力部からの指示に基づき、音声番号に対応する音声メッセージの音量を調節する操作制御手段を有するリモートコントローラであって、音声メッセージの番号を示す音声番号や音量を表示する表示部を有し、操作制御手段は、操作入力部の音声スイッチにより音量調節モードが設定されたと判定したときは、操作入力部の音声番号スイッチから指示された音声番号と音声番号に対応する音声メッセージの音量を表示部に表示し、表示部に表示された音声番号に対応する音声メッセージの音量が音量調節スイッチで調節され、設定された音量が表示部に表示されることにより、指示された音声番号に対応する音声メッセージの音量のみを調節することができるので、個別の調節を可能にしてユーザマインドの向上を図ることができるという有利な効果が得られる。
【００２１】
請求項２に記載のリモートコントローラによれば、請求項１に記載のリモートコントローラにおいて、操作制御手段は、音声番号スイッチが一括調節を指示しているときは既に個別調節された音声番号を除いた全ての音声番号に対応する音声メッセージの音量を一括調節し、音声番号スイッチが個別調節を指示しているときは音声番号スイッチが指示した音声番号に対応する音声メッセージの音量を調節することにより、状況に応じて一括調節または個別調節を行うことができるので、利便性を増すことができるという有利な効果が得られる。
【００２２】
請求項３に記載のリモートコントローラによれば、請求項１に記載のリモートコントローラにおいて、操作制御手段は、音量調節モードが設定された後に音声番号スイッチが所定回だけオンされた場合には、音量調節モードが設定される直前に発音された音声メッセージの音声番号を表示部に表示し、表示部に表示された音声番号に対応する音声メッセージの音量が音量調節スイッチで調節され、設定された音量が前記表示部に表示されることにより、音量調節モードが設定される直前に発音された音声メッセージ、つまり最も直近に発音された音声メッセージの音量を調節することができるので、ユーザが最も正確に記憶している音量を有効に活用することができるという有利な効果が得られる。
【００２３】
請求項４に記載のリモートコントローラによれば、請求項１に記載のリモートコントローラにおいて、操作制御手段は、音声番号スイッチが指示した音声番号と指示した音声番号に対応する音声メッセージの音量とを対にして音量データ記憶部に記憶させることにより、所定の音声番号に対応する音声メッセージを所定の音量で正確に再生することができるという有利な効果が得られる。
【００２４】
請求項５に記載のリモートコントローラによれば、請求項４に記載のリモートコントローラにおいて、音量データ記憶部は不揮発性メモリであることにより、所定の音声番号とこの所定の音声番号に対応する音声メッセージの音量とを消滅させることなく確実に記憶することができるという有利な効果が得られる。
【図面の簡単な説明】
【図１】本発明の実施の形態１によるリモートコントローラを示すブロック図
【図２】（ａ）図１のリモートコントローラとしてのメインリモコンを示すパネルの正面図
（ｂ）図１のリモートコントローラとしてのメインリモコンを示すパネルの要部正面図
【図３】（ａ）図１のリモートコントローラとしての風呂リモコンを示すパネルの正面図
（ｂ）図１のリモートコントローラとしての風呂リモコンの操作蓋を開いた状態を示すパネルの要部正面図
【図４】図１〜図３のリモートコントローラの動作を示すフローチャート
【符号の説明】
１  制御部
２  操作入力部
３  表示部
４  音声出力部
５  伝送部
６  記憶部
７  運転スイッチ
８  操作部蓋
１１  表示制御手段
１２  操作制御手段
１３  音声制御手段
１４  その他の制御手段
１５  伝送制御手段
２１  音声スイッチ
２２  音声番号プラススイッチ（音声番号スイッチ）
２３  音声番号マイナススイッチ（音声番号スイッチ）
３１  第１の表示部
３２  第２の表示部
６１  操作データ記憶部
６２  音声データ記憶部
６３  音量データ記憶部
【図１】
0004276351.tif 000002
【図２】
0004276351.tif 000003
【図３】
0004276351.tif 000004
【図４】
0004276351.tif 000005